(57)【要約】【課題】  足の不自由な人やお年寄り等であっても安全に手足の運動が行える運動器具の提供。【解決手段】  基台１と、基台１上に立設した支柱２に軸支した左右の手漕ぎ棒３ａ，３ｂと、基台１上に前後方向に移動可能に設けた左右の足載せ部４ａ，４ｂと、基台１上に設けた座部５とを備え、左右の手漕ぎ棒３ａ，３ｂと左右の足載せ部４ａ，４ｂとがそれぞれ連動するように連結してある【選択図】      図１
0003214010.tif 000002
【実用新案登録請求の範囲】
【請求項１】
基台と、基台上に立設した支柱に軸支した左右の手漕ぎ棒と、基台上に前後方向に移動可能に設けた左右の足載せ部と、基台上に設けた座部とを備え、左右の手漕ぎ棒と左右の足載せ部とがそれぞれ連動するように連結してあることを特徴とする運動器具。
【請求項２】
手漕ぎ棒の下部側に重りが取付けてあり、重りの取付位置を手漕ぎ棒の長手方向に沿って変更自在であることを特徴とする請求項１記載の運動器具。
【請求項３】
座部は前後方向にスライド可能であることを特徴とする請求項１又は２記載の運動器具。
【考案の詳細な説明】
【技術分野】
【０００１】
本考案は、運動器具に関する。
【背景技術】
【０００２】
従来より、手で握るレバーと足を載せる板とが連動し、クロスカントリースキーのような運動が行える運動器具が知られている（例えば、特許文献１参照）。このような運動器具は、不安定な板の上に足を載せて立って運動するものなので、足の不自由な人やお年寄り等が使用するには危険である。
【先行技術文献】
【特許文献】
【０００３】
【特許文献１】実用新案登録第３０６３４２２号公報
【考案の概要】
【考案が解決しようとする課題】
【０００４】
本考案は以上に述べた実情に鑑み、足の不自由な人やお年寄り等であっても安全に運動が行える運動器具の提供を目的とする。
【課題を解決するための手段】
【０００５】
上記の課題を達成するために請求項１記載の考案による運動器具は、基台と、基台上に立設した支柱に軸支した左右の手漕ぎ棒と、基台上に前後方向に移動可能に設けた左右の足載せ部と、基台上に設けた座部とを備え、左右の手漕ぎ棒と左右の足載せ部とがそれぞれ連動するように連結してあることを特徴とする。
【０００６】
請求項２記載の考案による運動器具は、請求項１記載の考案の構成に加え、手漕ぎ棒の下部側に重りが取付けてあり、重りの取付位置を手漕ぎ棒の長手方向に沿って変更自在であることを特徴とする。
【０００７】
請求項３記載の考案による運動器具は、請求項１又は２記載の考案の構成に加え、座部は前後方向にスライド可能であることを特徴とする。
【考案の効果】
【０００８】
請求項１記載の考案による運動器具は、座部に腰かけて手漕ぎ棒を手で握り、足載せ部に足を載せ、手漕ぎ棒を手前に引けば足載せ部が前方にスライドするので、足の不自由な人やお年寄り等であっても安全に手足の運動が行える。
【０００９】
請求項２記載の考案による運動器具は、手漕ぎ棒の下部側に重りが取付けてあることで、手漕ぎ棒及び足載せ部の動きに対して適度な負荷をかけることができ、重りの取付位置を手漕ぎ棒の長手方向に沿って変更することで、負荷の強さを調節できる。
【００１０】
請求項３記載の考案による運動器具は、座部は前後方向にスライド可能であるため、手足の長さに応じて座部の前後位置を調節できる。また、左右の手漕ぎ棒を両方とも手前に引き、お尻（座部）を前後にスライドさせることで、ボート漕ぎのような運動を行うこともできる。
【図面の簡単な説明】
【００１１】
【図１】本考案の一実施形態に係る運動器具の側面図である。
【図２】同運動器具の平面図である。
【図３】同運動器具の正面図である。
【図４】図２のＡ−Ａ断面図である。
【図５】図２のＢ−Ｂ断面図である。
【図６】（ａ）は手漕ぎ棒への重りの取付部を示す側面図、（ｂ）はＣ−Ｃ断面図である。
【図７】同運動器具の使用状態を示す側面図である。
【図８】同運動器具の別の使用状態を示す側面図である。
【図９】同運動器具のさらに別の使用状態を示す側面図である。
【考案を実施するための形態】
【００１２】
以下、本考案の実施の形態を図面に基づいて説明する。図１〜６は、本考案に係る運動器具の一実施形態を示している。本運動器具は、図１〜３に示すように、基台１と、基台１上の前部に立設した支柱２に軸支した左右の手漕ぎ棒３ａ，３ｂと、基台１上に前後方向に移動可能に設けた左右の足載せ部４ａ，４ｂと、基台１上に設けた座部５とを備えている。さらに本運動器具は、乗り降りを容易にするために手摺７が設けてある。
【００１３】
手漕ぎ棒３ａ，３ｂは、図１に示すように、上下方向の中間部を支柱２の上端部に左右方向の軸８で軸支してあり、軸８を支点として回動自在となっている。手漕ぎ棒３ａ，３ｂの上部には、手で握るための握り部９が設けてある。手漕ぎ棒３ａ，３ｂの軸８よりも下部側には、重り６が取付けてある。重り６は、図６に示すように、手漕ぎ棒３ａ，３ｂの長手方向に沿って移動させることができ、移動した位置でボルト１０により固定できるようになっている。
【００１４】
足載せ部４ａ，４ｂは、図１，２に示すように、長方形の板状のスライド板１１上に上面が開放した足箱１２を取付けて構成してある。スライド板１１は、図４，５に示すように、下面に複数のキャスター１３とガイドバー１４が取付けてあり、ガイドバー１４は左右両側からベアリング１５で保持してあり、これらのキャスター１３とベアリング１５の働きにより、スライド板１１は前後に滑らかにスライドするようになっている。基台１上面の左右縁部には固定ガイド１６，１６が取付けてあり、基台１上面の前後縁部にはスライド板１１用のストッパー１７ａ，１７ｂが取付けてある。スライド板１１の下面と後側のストッパー１７ｂとの間には、バネ１８が取付けてある。足箱１２は、足を差し入れるための箱であり、内部につま先と踵用の引っ掛かり部１９ａ，１９ｂが設けてある。
【００１５】
図１，４に示すように、手漕ぎ棒３ａ，３ｂの下端部には棒状の繋ぎ材２０の一端部が蝶番２１ａで取付けてあり、繋ぎ材２０の他端部は足箱１２の側面に設けた取付部２２に蝶番２１ｂで取付けてある。これにより、手漕ぎ棒３ａ，３ｂと足載せ部４ａ，４ｂとがそれぞれ連動するように連結されている。
【００１６】
座部５は、図１，２に示すように、座板２３と背もたれ２４と脚部２５と横板３０を備えている。脚部２５にはキャスター２６が取付けてあり、図５に示すように、固定ガイド１６，１６の外側にベアリング２７，２７を介してガイドしてある。したがって座部５は、基台１上を前後方向にスムーズに移動できるようになっている。座部５には、図２，４に示すように、落し棒２８を用いたストッパー機構２９が設けてあり、落し棒２８の下端部を基台１上面に設けた穴に落し込むことで、座部５を固定できるようになっている。落し棒２８を落し込むための穴は、前後方向に間隔をおいて複数設けてあり、手足の長さに応じて座部５の位置を前後に調節できる。
【００１７】
次に、本運動器具の使用方法を説明する。まず、座部５の前後位置を調節してから座部５に腰かけ、左右の足を左右の足載せ部４ａ，４ｂの足箱１２，１２に入れ、左右の手で手漕ぎ棒３ａ，３ｂの握り部９を握る。次に、図７（ａ）に示すように、片方（図では左）の手漕ぎ棒３ａを手前に引く。すると、その手漕ぎ棒３ａと連結された足載せ部（左）４ａが前方にスライドし、片方の足が前に出る。このとき、手漕ぎ棒３ａの下部に取付けた重り６が上に上がり、同時にバネ１８が引っ張られるため、片方の手足に負荷がかかる。片方の手漕ぎ棒３ａの手前に引く力を弱めると、手漕ぎ棒３ａと足載せ部４ａは重り６とバネ１８の働きにより元の位置に戻る。次に、図７（ｂ）に示すように、もう片方（図では右）の手漕ぎ棒３ｂを手前に引く。すると、その手漕ぎ棒３ｂと連結された足載せ部（右）４ｂが前方にスライドし、もう片方の足が前に出る。このように左右の手漕ぎ棒３ａ，３ｂを交互に手前に引き、それに伴って足載せ部４ａ，４ｂがスライドして足が交互に前に出る。
【００１８】
図８は、本運動器具の使用方法の他の例を示している。この例では、手を手漕ぎ棒３ａ，３ｂから離して座部５の横板３０上に置き、左右の足だけを交互に前後にスライドさせる。
【００１９】
図９は、本運動器具の使用方法のさらに別の例を示している。この場合は、座部５のストッパー機構２９をあらかじめ解除しておき、図９（ａ）に示すように、左右の手漕ぎ棒３ａ，３ｂを同時に手前に引き、その後、図９（ｂ）に示すように、膝を曲げながらお尻で座部５を前方にスライドさせる。
【００２０】
以上に述べたように本運動器具は、座部５に腰かけて手漕ぎ棒３ａ，３ｂを手で握り、足載せ部４ａ，４ｂに足を載せ、手漕ぎ棒３ａ，３ｂを手前に引けば足載せ部４ａ，４ｂが前方にスライドするので、足の不自由な人やお年寄り等であっても安全に手足の運動が行え、障害、高齢等により外出があまりできない人の運動不足解消を助ける。特に、図７に示す使用方法によれば、生まれつきの障害や交通事故等により足が全く動かせない人でも、足を前に出す感覚を掴むことができ、運動機能の改善に期待が持てる。本運動器具により、手、足、体全体の運動を行うことで、脳の働きを活性化できる。また本運動器具は、上記のような運動を行うことで、腕・足・股・腰等の筋肉の衰えを防止できる。
さらに本運動器具は、手漕ぎ棒３ａ，３ｂの下部側に重り６が取付けてあることで、手漕ぎ棒３ａ，３ｂ及び足載せ部４ａ，４ｂの動きに対して適度な負荷をかけることができ、重り６の取付位置を手漕ぎ棒４ａ，４ｂの長手方向に沿って変更することで、負荷の強さを調節できる。本運動器具は、電気を使用しないので、設置するのに場所を選ばず、且つ経済的である。
さらに本運動器具は、座部５が前後方向にスライド可能であるため、手足の長さに応じて座部５の前後位置を調節できる。また、左右の手漕ぎ棒３ａ，３ｂを両方とも手前に引き、お尻（座部５）を前後にスライドさせることで、ボート漕ぎのような運動を行うこともできる。
【００２１】
本考案は以上に述べた実施形態に限定されない。手漕ぎ棒や足載せ部、座部の形状、材質等は、適宜変更することができる。足載せ部を前後にスライドさせる機構、手漕ぎ棒と足載せ部を連動させる機構等は、適宜変更することができる。
【符号の説明】
【００２２】
１  基台
２  支柱
３ａ，３ｂ  手漕ぎ棒
４ａ，４ｂ  足載せ部
５  座部
６  重り
【図１】
0003214010.tif 000003
【図２】
0003214010.tif 000004
【図３】
0003214010.tif 000005
【図４】
0003214010.tif 000006
【図５】
0003214010.tif 000007
【図６】
0003214010.tif 000008
【図７】
0003214010.tif 000009
【図８】
0003214010.tif 000010
【図９】
0003214010.tif 000011